(57)【特許請求の範囲】
【請求項１】
識別可能な第１の識別情報が記録されている複数の媒体を使用する自動改札装置であって；
前記媒体を収納可能な収納手段と；
前記媒体を前記収納手段内の所定位置に保留する保留手段と；
前記保留手段に前記媒体が保留されたことを検知する検知手段と；
前記第１の識別情報に応じた所定信号を、前記媒体から受信する信号受信手段と； 
前記媒体のグループを示す第２の識別情報と、該第２の識別情報とは異なる第３の識別情報を、前記第１の識別情報に対応させて記憶している記憶手段と；
前記所定信号に基づいて、前記保留手段により保留された前記媒体の保留を解除するように該保留手段を制御する制御手段と；
前記保留手段による保留を解除された前記媒体を回収する回収手段を備え；
前記複数の媒体は、前記第２の識別情報に応じて第１のグループに識別される第１の媒体と、前記第２の識別情報に応じて前記第１のグループとは異なる第２のグループに識別される第２の媒体に分けられ、
前記制御手段は、前記所定信号に基づいて、前記記憶手段に記憶している前記第２の識別情報及び前記第３の識別情報を読み出し、
前記検知手段により前記媒体が検知され、前記第２の識別情報に基づいて前記保留手段により保留された媒体が前記第１の媒体であると識別し、前記記憶手段から読み出した前記第３の識別情報が所定の条件を満たしていると判断した際に、該保留手段を前記媒体の保留を解除するように制御する、
自動改札装置。
【請求項２】
入退場者の通行に伴って開閉する扉を備え；
前記制御手段は、前記記憶手段から読み出した前記第３の識別情報が前記所定の条件を満たしていると判断した際に、前記扉を開状態に制御する、
請求項１に記載の自動改札装置。
【請求項３】
前記検知手段により前記媒体が検知された際に、前記収納手段に形成され、前記媒体を挿入する挿入口を閉鎖する閉鎖手段を備える；
請求項１又は請求項２に記載の自動改札装置。
【請求項４】
前記制御手段は、前記検知手段により前記媒体が検知され、前記記憶手段から読み出した前記第３の識別情報が前記所定の条件を満たしていないと判断した際には、前記保留手段を前記媒体の保留を解除しないように制御し、前記閉鎖手段を開放するように制御し、前記扉を閉状態に制御する、
請求項３に記載の自動改札装置。
【請求項５】
前記制御手段は、前記検知手段により前記媒体が検知され、前記第２の識別情報に基づいて前記保留手段により保留された媒体が前記第２の媒体であると識別し、前記記憶手段から読み出した前記第３の識別情報が所定の条件を満たしていると判断した際には、該保留手段を前記媒体の保留を解除しないように制御し、前記閉鎖手段を開放するように制御し、前記扉を開状態に制御する、
請求項３又は請求項４に記載の自動改札装置。
【請求項６】
前記制御手段は、前記検知手段により前記媒体が検知されず、前記第２の識別情報に基づいて前記信号受信手段により前記所定信号を受信される前記媒体が前記第１の媒体であると識別し、前記記憶手段から読み出した前記第３の識別情報が所定の条件を満たしていると判断した際には、前記扉を閉状態に制御する、
請求項３乃至請求項５のいずれか１項に記載の自動改札装置。
【請求項７】
前記保留手段により前記媒体が保留されている際に該媒体の一部が露出するように、前記収納手段に切り欠きが形成され、
該切り欠きは前記挿入口と連続するように形成される、
請求項１乃至請求項６のいずれか１項に記載の自動改札装置。
【請求項８】
情報が記録されている複数の媒体を使用する自動改札装置であって；
前記媒体を収納可能な収納手段と；
前記媒体を前記収納手段内の所定位置に保留する保留手段と；
前記保留手段に前記媒体が保留されたことを検知する検知手段と；
前記情報に応じた所定信号を前記媒体から受信する信号受信手段と； 
前記所定信号に基づいて、前記保留手段により保留された前記媒体の保留を解除するように該保留手段を制御する制御手段と；
前記保留手段による保留を解除された前記媒体を回収する回収手段を備え；
前記情報は、前記媒体のグループを示す第２の識別情報と、該第２の識別情報とは異なる第３の識別情報を含み、
前記複数の媒体は、前記第２の識別情報に応じて第１のグループに識別される第１の媒体と、前記第２の識別情報に応じて前記第１のグループとは異なる第２のグループに識別される第２の媒体に分けられ、
前記制御手段は、前記検知手段により前記媒体が検知され、前記第２の識別情報に基づいて前記保留手段により保留された媒体が前記第１の媒体であると識別し、前記第３の識別情報に基づいて該第１の媒体に記録されている情報が所定の条件を満たしていると判断した際に、該保留手段を前記媒体の保留を解除するように制御する、
自動改札装置。
【発明の詳細な説明】
【技術分野】
【０００１】
本発明は、自動改札装置に関し、特に利用者に煩わしさを感じさせることのない自動改札装置に関する。
【背景技術】
【０００２】
従来から駅、ビルや遊技施設に設置される自動改札装置、例えば、ゲート装置には、ビル、遊技施設の出入口に設置され、入場券を処理する入場券処理装置と、入場券処理装置により処理される入場券の情報に基づいて入場・退場を許可したときに扉を開放し、入場・退場を禁止したときに扉を閉鎖する扉装置を備えるものがあった。入場券としては、例えば、非接触型のＩＣカード等を用いることがあった（例えば、特許文献１参照。）。
【特許文献１】特開２００２−２８５７７０号公報  （第３−４頁、第１図）
【発明の開示】
【発明が解決しようとする課題】
【０００３】
しかしながら従来のゲート装置では、用いられる入場券が例えば、入退場者の属性に応じて社員用カード、来客用カードというように複数のグループに分けられている場合があり、入場券のグループによっては、例えば、退場後に入場券を受付等に返却しなければならず、利用者に煩わしさを感じさせることがあった。
【０００４】
そこで、本発明は、利用者に煩わしさを感じさせることのない自動改札装置を提供することを目的とする。
【課題を解決するための手段】
【０００５】
上記目的を達成するために、請求項１に係る発明による自動改札装置は、例えば図１、図４又は図５に示すように、識別可能な第１の識別情報（例えば、各媒体を識別する識別番号）が記録されている複数の媒体１００（例えば、ＩＣカード）を使用する自動改札装置であって；媒体１００を収納可能な収納手段３１と；媒体１００を収納手段３１内の所定位置に保留する保留手段３４と；保留手段３４に媒体１００が保留されたことを検知する検知手段３５と；第１の識別情報に応じた所定信号を、媒体１００から受信する信号受信手段３６と；媒体１００のグループを示す第２の識別情報（例えば、来客用ＩＣカードと社員用ＩＣカードとを区別するグループ情報）と、該第２の識別情報とは異なる第３の識別情報（例えば、出場判断情報）を、第１の識別情報に対応させて記憶している記憶手段９と；所定信号に基づいて、保留手段３４により保留された媒体１００の保留を解除するように該保留手段３４を制御する制御手段８と；保留手段３４による保留を解除された媒体１００を回収する回収手段７を備え；複数の媒体１００は、第２の識別情報に応じて第１のグループに識別される第１の媒体（例えば、来客用ＩＣカード）と、第２の識別情報に応じて第１のグループとは異なる第２のグループに識別される第２の媒体（例えば、社員用ＩＣカード）に分けられ、制御手段８は、所定信号に基づいて、記憶手段９に記憶している第２の識別情報及び第３の識別情報を読み出し、検知手段３５により媒体１００が検知され、第２の識別情報に基づいて保留手段３４により保留された媒体１００が第１の媒体であると識別し、記憶手段９から読み出した第３の識別情報が所定の条件を満たしていると判断した際に、該保留手段３４を媒体１００の保留を解除するように制御するように構成される。
【０００６】
このように構成すると、保留手段は、第２の識別情報に応じて第１の媒体と、第２の媒体に分けられる媒体を収納手段内の所定位置に保留し、検知手段は、所定位置に媒体が保留されたことを検知する。制御手段は、信号受信手段が媒体から受信する所定信号に応じた第１の識別情報に基づいて、記憶手段に記憶している第２の識別情報及び第３の識別情報を読み出す。さらに制御手段は、検知手段により媒体が検知され、第２の識別情報に基づいて保留手段により保留された媒体が第１の媒体であると識別し、記憶手段から読み出した第３の識別情報が所定の条件を満たしていると判断した際に、該保留手段を媒体の保留を解除するように制御し、媒体を回収手段に回収するので、利用者に煩わしさを感じさせることのない自動改札装置を提供することができる。
【０００７】
また請求項２に記載のように、請求項１に記載の自動改札装置では、例えば図１又は図５に示すように、入退場者の通行に伴って開閉する扉４を備え；制御手段８は、記憶手段９から読み出した第３の識別情報（例えば、出場判断情報）が所定の条件を満たしていると判断した際に、扉４を開状態に制御するように構成してもよい。
【０００８】
このように構成すると、制御手段は、記憶手段から読み出した第３の識別情報が所定の条件を満たしていると判断した際に、扉を開状態に制御するので、第３の識別情報に応じて通行の許可を行うことができる。
【０００９】
また請求項３に記載のように、請求項１又は請求項２に記載の自動改札装置では、例えば図４に示すように、検知手段３５により媒体１００が検知された際に、収納手段３１に形成され、媒体１００を挿入する挿入口３２を閉鎖する閉鎖手段３７を備えるように構成してもよい。
【００１０】
このように構成すると、閉鎖手段は、検知手段により媒体が検知された際に、挿入口を閉鎖するので、信号受信手段が、第１の識別情報に応じた所定信号を媒体から受信する際に媒体を収納手段から抜き取られることがない。
【００１１】
また請求項４に記載のように、請求項３に記載の自動改札装置では、例えば図１、図４又は図５に示すように、制御手段８は、検知手段３５により媒体１００が検知され、記憶手段９から読み出した第３の識別情報（例えば、出場判断情報）が所定の条件を満たしていないと判断した際には、保留手段３４を媒体１００の保留を解除しないように制御し、閉鎖手段３７を開放するように制御し、扉４を閉状態に制御するように構成してもよい。
【００１２】
このように構成すると、制御手段は、検知手段により媒体が検知され、記憶手段から読み出した第３の識別情報が所定の条件を満たしていないと判断した際には、保留手段を媒体の保留を解除しないように制御し、閉鎖手段を開放するように制御し、扉を閉状態に制御するので、第３の識別情報に応じて通行の規制を行うことができ、また、保留手段に保留された媒体を回収せずに、収納手段から媒体を抜き取ることが可能になる。
【００１３】
また請求項５に記載のように、請求項３又は請求項４に記載の自動改札装置では、例えば図１、図４又は図５に示すように、制御手段８は、検知手段３５により媒体１００が検知され、第２の識別情報（例えば、グループ情報）に基づいて保留手段３４により保留された媒体１００が第２の媒体（例えば、社員用ＩＣカード）であると識別し、記憶手段９から読み出した第３の識別情報（例えば、出場判断情報）が所定の条件を満たしていると判断した際には、該保留手段３４を媒体の保留を解除しないように制御し、閉鎖手段３７を開放するように制御し、扉４を開状態に制御するように構成してもよい。
【００１４】
このように構成すると、制御手段は、検知手段により媒体が検知され、第２の識別情報に基づいて保留手段により保留された媒体が第２の媒体であると識別し、記憶手段から読み出した第３の識別情報が所定の条件を満たしていると判断した際には、該保留手段を媒体の保留を解除しないように制御し、閉鎖手段を開放するように制御し、扉を開状態に制御するので、第３の識別情報に応じて通行の許可を行うことができ、また、保留手段に保留された第２の媒体を回収せずに、収納手段から第２の媒体を抜き取ることが可能になる。
【００１５】
また請求項６に記載のように、請求項３乃至請求項５のいずれか１項に記載の自動改札装置では、例えば図１、図４又は図５に示すように、制御手段８は、検知手段３５により媒体１００が検知されず、第２の識別情報（例えば、グループ情報）に基づいて信号受信手段３６により所定信号を受信される媒体１００が第１の媒体（例えば、来客用ＩＣカード）であると識別し、記憶手段９から読み出した第３の識別情報（例えば、出場判断情報）が所定の条件を満たしていると判断した際には、扉４を閉状態に制御するように構成してもよい。
【００１６】
このように構成すると、制御手段は、検知手段により媒体が検知されない状態、すなわち、収納手段に媒体が収納されていない状態で、第２の識別情報に基づいて信号受信手段により所定信号を受信される媒体が第１の媒体であると識別し、記憶手段から読み出した第３の識別情報が所定の条件を満たしていると判断した際には、扉を閉状態に制御することから、第３の識別情報が所定の条件を満たした場合でも通行の規制を行うことができるので、例えば、回収手段に回収する必要のある第１の媒体を回収し忘れることがない。
【００１７】
また請求項７に記載のように、請求項１乃至請求項６のいずれか１項に記載の自動改札装置では、例えば図３に示すように、保留手段３４により媒体１００が保留されている際に該媒体１００の一部が露出するように、収納手段３１に切り欠き３３が形成され、該切り欠き３３は挿入口３２と連続するように形成されるように構成してもよい。
【００１８】
このように構成すると、収納手段に切り欠き３３が挿入口３２と連続するように形成されるので、該切り欠きを介して媒体を摘んで収納手段から容易に抜き取ることができる。
【００１９】
上記目的を達成するために、請求項８に係る発明による自動改札装置は、例えば図１、図４又は図５に示すように、情報が記録されている複数の媒体１００を使用する自動改札装置であって；媒体１００を収納可能な収納手段３１と；媒体１００を収納手段３１内の所定位置に保留する保留手段３４と；保留手段３４に媒体１００が保留されたことを検知する検知手段３５と；情報に応じた所定信号を媒体１００から受信する信号受信手段３６と； 所定信号に基づいて、保留手段３４により保留された媒体１００の保留を解除するように該保留手段３４を制御する制御手段８と；保留手段３４による保留を解除された媒体１００を回収する回収手段７を備え；情報は、媒体１００のグループを示す第２の識別情報（例えば、グループ情報）と、該第２の識別情報とは異なる第３の識別情報（例えば、出場判断情報）を含み、複数の媒体１００は、第２の識別情報に応じて第１のグループに識別される第１の媒体（例えば、来客用ＩＣカード）と、第２の識別情報に応じて第１のグループとは異なる第２のグループに識別される第２の媒体（例えば、社員用ＩＣカード）に分けられ、制御手段８は、検知手段３５により媒体１００が検知され、第２の識別情報に基づいて保留手段３４により保留された媒体１００が第１の媒体であると識別し、第３の識別情報に基づいて該第１の媒体に記録されている情報が所定の条件を満たしていると判断した際に、該保留手段３４を媒体１００の保留を解除するように制御するように構成される。
【００２０】
このように構成すると、保留手段は、第２の識別情報と第３の識別情報が記録されている媒体であって、第２の識別情報に応じて第１の媒体と、第２の媒体に分けられる媒体を収納手段内の所定位置に保留し、検知手段は、所定位置に媒体が保留されたことを検知する。制御手段は、信号受信手段が媒体から受信する所定信号に応じた第２の識別情報、第３の識別情報に基づいて、検知手段により媒体が検知され、保留手段により保留された媒体が第１の媒体であると識別し、第３の識別情報が所定の条件を満たしていると判断した際に、該保留手段を媒体の保留を解除するように制御し、媒体を回収手段に回収するので、利用者に煩わしさを感じさせることのない自動改札装置を提供することができる。
【発明の効果】
【００２１】
以上のように本発明によれば、識別可能な第１の識別情報が記録されている複数の媒体を使用する自動改札装置であって、媒体を収納可能な収納手段と、媒体を収納手段内の所定位置に保留する保留手段と、保留手段に媒体が保留されたことを検知する検知手段と、第１の識別情報に応じた所定信号を、媒体から受信する信号受信手段と、媒体のグループを示す第２の識別情報と、該第２の識別情報とは異なる第３の識別情報を、第１の識別情報に対応させて記憶している記憶手段と、所定信号に基づいて、保留手段により保留された媒体の保留を解除するように該保留手段を制御する制御手段と、保留手段による保留を解除された媒体を回収する回収手段を備え、複数の媒体は、第２の識別情報に応じて第１のグループに識別される第１の媒体と、第２の識別情報に応じて第１のグループとは異なる第２のグループに識別される第２の媒体に分けられ、制御手段は、所定信号に基づいて、記憶手段に記憶している第２の識別情報及び第３の識別情報を読み出し、検知手段により媒体が検知され、第２の識別情報に基づいて保留手段により保留された媒体が第１の媒体であると識別し、記憶手段から読み出した第３の識別情報が所定の条件を満たしていると判断した際に、該保留手段を媒体の保留を解除するように制御するように構成されるので、利用者に煩わしさを感じさせることのない自動改札装置を提供することができる。
【発明を実施するための最良の形態】
【００２２】
以下、本発明の実施の形態について、図面を参照して説明する。なお、各図において互いに同一あるいは相当する部材には同一符号を付し、重複した説明は省略する。
【００２３】
図１は、本発明の実施の形態に係る自動改札装置としてのゲート装置１の外観図であり、（ａ）は正面図、（ｂ）は平面図、（ｃ）は（ｂ）に図示するＡ方向矢視図である。ゲート装置１は、識別可能な第１の識別情報が記録されている複数の媒体を使用する自動改札装置であって、例えば、ビル施設や遊技施設に設置され、利用者等の入退場を許可、規制等を行う装置である。ゲート装置１は、ゲート装置１を通行可能か否かを表示する表示器２と、識別可能な第１の識別情報が記録されている媒体、本実施の形態ではカード状の媒体としてのＩＣカード１００（図５参照）を処理するカード処理装置３と、入退場者の通行に伴って開閉する扉４を備える。扉４は、後述するように、ＩＣカード１００に記録されている情報に基づいて通行を許可した際に開状態に、通行を禁止した際に閉状態となるように構成される。表示器２、カード処理装置３、扉４は、ゲート装置１の各部を収納する筐体５に組み付けられている。
【００２４】
ここでは、ゲート装置１は、筐体５、扉４を各一対ずつ備えている。２つの筐体５は、長手方向の面が互いに対向するように配設され、各筐体５の当該対向する長手方向の面に１つずつ扉４が配設されている。１対の扉４は、扉装置を構成している。ゲート装置１は、一組の扉４によって構成される扉装置によって、進入方向、退出方向の両方をコントロールすることができるように構成されている。図１（ａ）、（ｂ）は、扉４が閉鎖状態である場合、すなわち、対向する筐体５の間の通行を禁止した状態を示している。扉４が閉状態である場合、該扉４は、ともに筐体５の対向する長手方向の面に対して略垂直になり、端面が互いに対向する。扉４は、筐体５内に内蔵される扉駆動部４ａ（図５参照）により閉状態と開状態に移行することができる。扉駆動部４ａは、扉を回動させるモータ、モータの回転を扉に伝える歯車等を含んで構成される。
【００２５】
表示器２、カード処理装置３は、一対の筐体５のうち何れか一方に配設されていればよく、ここでは、図１（ａ）に向かって右側の筐体５にともに配設されている。カード処理装置３は、シュート３９を介して回収手段としてのＩＣカード回収部７に接続されている。さらに、ゲート装置１は、ゲート装置１の各部を制御する制御手段としての制御部８（図５参照）、各種情報を記憶している記憶手段としての記憶部９（図５参照）、音による情報を出力するスピーカ１０（図５参照）を備える。カード処理装置３、シュート３９、ＩＣカード回収部７ついては図３、図４、制御部８、記憶部９、スピーカ１０については図５で詳細に説明する。
【００２６】
ここで、識別可能な第１の識別情報が記録されている媒体は、上述したようにカード状の媒体としてのＩＣカード１００（図５参照）を用いる。ＩＣカード１００は、剛性を有するカード媒体であり、内部にＣＰＵやＲＡＭ、ＲＯＭ等のメモリが格納されており、当該メモリに情報を記憶する。情報は、例えばビット列で記録される。ＩＣカードは、情報の読み取り、書き換えを電磁波を用いて行うことが可能であるため、非接触式カードと呼ばれている。なお、ＩＣカードは、規格としてＩＳＯ１４４４３（ＪＩＳ  Ｘ６３２２）が定められている。なお、以下では情報が記録されている媒体は、カード状のＩＣカード１００として説明するが、カード状でなく、例えば、トークン等を用いてもよい。ここでいうトークンとは、いわゆる代用硬貨であり、例えば樹脂製の外壁で内部にＩＣチップが埋め込まれているものも含む。
【００２７】
また、ＩＣカード１００（図５参照）に記録されている識別可能な第１の識別情報は、ＩＣカード１００毎に割り当てられる情報であり、複数のＩＣカードから１つのＩＣカードを特定することのできる情報であればなんでもよい。本実施の形態では、第１の識別情報は、ＩＣカード１００毎に割り当てられる識別番号（数列）であるものとして説明するが、その他アルファベット・ひらがな・カタカナ等の文字列であってもよい。
【００２８】
図２は、本発明の実施の形態に係るゲート装置１の外観図斜視図である。本図は、扉４が開状態である場合、すなわち、対向する筐体５の間の通行を許可した状態を示している。扉４が開状態である場合、該扉４は、ともに筐体５の対向する長手方向の面に対して略平行になり、当該面に形成されている凹部に収納され、通行を妨害しないような位置に格納される。
【００２９】
図中右下から左上方向が退出方向、すなわち、退場者が移動する方向である。カード処理装置３は、筐体５の端部であって、退場者の移動する方向の上流側の端部の退場者がＩＣカード１００を挿入しやすい位置に取り付けられている。すなわち、ここでは、カード処理装置３は、退場者のＩＣカード１００（図５参照）を処理する装置である。入場者のＩＣカード１００に対するカード処理装置（不図示）は、筐体５のカード処理装置３が配設されている端部とは反対側の端部に配設されていても良いし、ゲート装置１が配設される施設やスペースに応じて、ゲート装置自体を退場者専用と入場者専用とに分けて配設しても良い。
【００３０】
図３は、本発明の実施の形態に係るゲート装置１のカード処理装置３の外観を示す図であり、図３（ａ）は斜視図、図３（ｂ）は正面図（退場者の移動する方向の上流側から見た図）、図３（ｃ）は平面図、図３（ｄ）は側面図である。カード処理装置３は、筐体５（図２参照）に設置された際には、図３（ａ）、（ｂ）、（ｄ）の図に向かって上下方向が略鉛直方向になるように設置される。
【００３１】
カード処理装置３は、ＩＣカード１００（図５参照）を収納可能な収納手段としてのＩＣカード収納部３１を備える。ＩＣカード収納部３１は、カード処理装置３の各部を収納するケーシング３０に、内側にＩＣカード１００を収納する空間が画成されるように形成されている。ＩＣカード収納部３１は、次に説明する切り欠き３３の部分を除いて、ＩＣカード１００を収納する空間にＩＣカード１００をほぼ完全に収納することができる程度の大きさに形成される。
【００３２】
ＩＣカード収納部３１は、ケーシング３０内部にＩＣカード１００を挿入して取り込むための挿入口３２を備えている。挿入口３２は、ＩＣカード収納部３１にＩＣカード１００を長辺方向に挿入可能な程度の大きさに形成されている。すなわち、挿入口３２は、幅がＩＣカード１００の短辺方向の長さよりもやや長くなるように形成されている。ＩＣカード収納部３１は、該挿入口３２を介してＩＣカード１００を一枚ずつ収納することができる。挿入口３２は、カード処理装置３が筐体５（図２参照）に配設された際に、鉛直方向上側を向くように形成されている。これにより、例えば後述するように、ＩＣカード１００がＩＣカード回収部７（図５参照）に移送される際に、鉛直方向上側から下側に向かって自重により移動させるのに適した構成とすることができる。したがって搬送装置等を必要としないため、より簡易な構成のゲート装置１とすることができる。また、コストも安価となり、保守作業も軽微なもので済む。
【００３３】
さらに、ＩＣカード収納部３１には、図４で説明する保留手段としての下シャッタ３４によりＩＣカード１００がＩＣカード収納部３１内に保留されている際に、保留されているＩＣカード１００の一部が露出するように、切り欠き３３が形成されている。該切り欠き３３は、上述した挿入口３２と連続するように形成される。このように、ＩＣカード収納部３１に切り欠き３３を形成することで、一旦、ＩＣカード収納部３１内に収納されたＩＣカード１００を取り出しやすくすることができる。
【００３４】
図４は、本発明の実施の形態に係るゲート装置１のカード処理装置３の概略断面図である。本図は、図３（ｃ）に図示するＢ−Ｂ概略断面図を示す。カード処理装置３は、筐体５（図２参照）に設置された際には、本図に向かって上下方向が略鉛直方向になるように設置される。カード処理装置３は、ＩＣカード１００をＩＣカード収納部３１内の所定位置に保留する保留手段としての下シャッタ３４と、下シャッタ３４にＩＣカード１００が保留されたことを検知する検知手段としてのセットセンサ３５と、第１の識別情報（識別番号）に応じた所定信号を、ＩＣカード１００から受信する信号受信手段としてのカードＲ／Ｗ部３６と、セットセンサ３５によりＩＣカード１００が検知された際に、ＩＣカード収納部３１に形成され、ＩＣカード１００を挿入する挿入口３２を閉鎖する閉鎖手段としての上シャッタ３７と、ＩＣカード１００が挿入口３２を介してＩＣカード収納部３１に挿入されたことを検知する挿入検知センサ３８を備える。
【００３５】
下シャッタ３４は、ケーシング３０の内部に配設され、ＩＣカード収納部３１の挿入口３２とは反対側に配設されている。下シャッタ３４は、ＩＣカード１００が挿入される方向に対して交差する二本のピンを含んで構成される。二本のピンは、ソレノイド等を含んで構成される下シャッタ駆動部３４ａに連結されている。下シャッタ３４の二本のピンは、該下シャッタ駆動部３４ａによりＩＣカード１００が挿入される方向に対して交差する方向にスライドするように構成される。
【００３６】
下シャッタ３４は、二本のピンがＩＣカード収納部３１のＩＣカード１００を収納する空間に突出することで、二本のピンの上方（挿入口３２側）にＩＣカード１００を載置して、ＩＣカード収納部３１内の所定位置に保留する。なお、ここでは、所定位置とは、ＩＣカード１００がＩＣカード収納部３１内にほぼ完全に収納される位置である。
【００３７】
下シャッタ３４は、二本のピンがＩＣカード１００が挿入される方向に対して交差する方向にスライドすることで、ＩＣカード１００の保留を解除する。下シャッタ３４の下方（挿入口３２とは反対側）には、ＩＣカード収納部３１のＩＣカード１００を収納する空間に連続するようにシュート３９が形成されている。保留を解除されたＩＣカード１００は、自重でシュート３９に落下する。
【００３８】
ここで、上述したように、ゲート装置１は、下シャッタ３４による保留を解除されたＩＣカード１００を回収する回収手段としてのＩＣカード回収部７（図１も参照）を備える。ＩＣカード回収部７は、シュート３９の下方に配設されており、下シャッタ３４による保留が解除され、シュート３９を自重により移送されるＩＣカード１００を回収して保管する。
【００３９】
ここで、ＩＣカード１００を回収するという場合、典型的には、退場者にはＩＣカード１００を返還しないことをいう。本実施の形態では、ＩＣカード１００は、筐体５（図１参照）の内部に配設される。筐体５は、典型的には、ゲート装置１の稼働時には、閉鎖されており、内部のＩＣカード回収部７にはアクセスすることはできない。ＩＣカード回収部７に回収されるＩＣカード１００は、ゲート装置１の停止時に係員等が筐体５を開放してＩＣカード回収部７から取り除かれる。
【００４０】
上シャッタ３７は、ＩＣカード収納部３１の挿入口３２のすぐ下方（下シャッタ３４側）に配設される。また、上シャッタ３７は、下シャッタ３４から挿入口３２方向に、ＩＣカード１００の長辺方向よりもやや長い程度の間隔をあけた位置に配設される。上シャッタ３７は、ＩＣカード１００が挿入される方向に対して交差するプレートを含んで構成される。プレートは、ソレノイド等を含んで構成される上シャッタ駆動部３７ａに連結されている。上シャッタ３７のプレートは、該上シャッタ駆動部３７ａによりＩＣカード１００が挿入される方向に対して交差する方向にスライドするように構成される。
【００４１】
上シャッタ３７は、プレートがＩＣカード収納部３１のＩＣカード１００を収納する空間に突出することで、挿入口３２を閉鎖する。これにより、例えば、カードＲ／Ｗ部３６がＩＣカード１００から所定信号を受信している最中に、ＩＣカード１００が抜き取られることを防止することができる。
【００４２】
セットセンサ３５、挿入検知センサ３８は、本実施の形態では、各々反射型のセンサを用いるが、ＩＣカード１００を検知することのできるセンサであれば他のセンサ、例えば、一対のフォトセンサであってもよい。セットセンサ３５、挿入検知センサ３８は、上シャッタ３７と下シャッタ３４との間に、ＩＣカード収納部３１のＩＣカード１００を収納する空間に沿って、下シャッタ３４側からセットセンサ３５、挿入検知センサ３８の順で配設される。セットセンサ３５、挿入検知センサ３８は、ともに図５で説明する制御部８に接続されており、ＩＣカード収納部３１内にＩＣカード１００を検知した際に、検知信号を送信するように構成される。
【００４３】
ここで、挿入検知センサ３８は、セットセンサ３５に比較して挿入口３２に近い位置に配設されることから、ＩＣカード１００が下シャッタ３４により所定位置に保留される前にＩＣカード１００を検知する。言い換えれば、挿入検知センサ３８は、ＩＣカード１００が挿入口３２を介してＩＣカード収納部３１に挿入され始めるとすぐにＩＣカード１００を検知する。一方、セットセンサ３５は、挿入検知センサ３８に比較して下シャッタ３４に近い位置に配設されることから、ＩＣカード１００が下シャッタ３４により所定位置に、ほぼ完全に保留された際にＩＣカード１００を検知する。
【００４４】
カードＲ／Ｗ部３６は、ＩＣカード１００から第１の識別情報（識別番号）に応じた所定信号を受信する。カードＲ／Ｗ部３６は、ＩＣカード１００との間で所定信号の電磁波を送受信する機能を有するアンテナ部を含んで構成され、所定信号に応じた情報を読み込んだり、書き換えたりするもので、例えば所定周波数帯域の電磁波を情報の授受に用いる。カードＲ／Ｗ部３６は、ＩＣカード収納部３１に収納、保留されているＩＣカード１００と所定信号の送受信を行うだけでなく、ＩＣカード収納部３１の外側に該ＩＣカード収納部３１に沿うようにかざされたＩＣカード１００（図中一点鎖線で図示）とも所定信号の送受信を行うことが可能である。カードＲ／Ｗ部３６は、図５で説明する制御部８に接続されている。
【００４５】
図５は、本発明の実施の形態に係るゲート装置１の概略構成を示すブロック図である。ゲート装置１は、ＩＣカード１００のグループを示す第２の識別情報と、該第２の識別情報とは異なる第３の識別情報を、前記第１の識別情報（識別番号）に対応させて記憶している記憶手段としての記憶部９と、カードＲ／Ｗ部３６がＩＣカード１００から受信する所定信号に基づいて、下シャッタ３４により保留されたＩＣカード１００の保留を解除するように該下シャッタ３４を制御する制御手段としての制御部８とを備える。上述したように、制御部８は、ゲート装置１の各部を制御し、記憶部９は、各種情報を記憶している。
【００４６】
ここで、第２の識別情報としてのグループ情報は、ゲート装置１を通過する利用者をグループ分けするため、ＩＣカード１００毎に割り当てられる情報である。以下で説明するように、利用者をグループ分けすることで、ゲート装置１での処理を各グループに対応させた処理とすることができる。第３の識別情報としての出場判断情報は、ＩＣカード１００がカード処理装置３により処理される際に、ゲート装置１での利用者の通行を許可するか否かを判断するための基準となる情報である。記憶部９は、１つの第１の識別情報（識別番号）に対応させて、グループ情報、出場判断情報を各１つずつ記憶している。
【００４７】
複数のＩＣカード１００は、グループ情報に応じて第１のグループに識別される第１の媒体と、グループ情報に応じて第１のグループとは異なる第２のグループに識別される第２の媒体に分けられる。ここでは、第１のグループは、ゲート装置１が配設される施設に来客する来客者等のグループとし、一方、第２のグループは、該施設に恒常的に出入りする社員等のグループとする。したがって、以下では特に断りのない限り、第１のグループに識別される第１の媒体を「来客用ＩＣカード」、第２のグループに識別される第２の媒体を「社員用ＩＣカード」という。また、「来客用ＩＣカード」と「社員用ＩＣカード」とを特に区別する必要のない場合には、単に「ＩＣカード１００」という。なお、本実施の形態では、ＩＣカード１００は、「来客用ＩＣカード」と「社員用ＩＣカード」の２つのグループに分けるものとして説明するが、２つ以上のグループに分けてもよい。要するに複数のＩＣカード１００は、少なくとも２つのグループに分けられればよい。
【００４８】
制御部８は、ゲート装置１の各部を制御するものであり、制御部８は、例えば、ＣＰＵを含んで構成され、ＲＯＭに記憶されているシステムプログラム及びＲＡＭに記憶されているワーキングデータを用い当該ＣＰＵをつかさどるプログラムを実行することによって各部を制御し、ゲート装置１を統括的に制御できるように構成されている。記憶部９は、ＲＯＭ、ハードディスクドライブ、シリコンディスク（Ｓｉｌｉｃｏｎ  Ｄｉｓｋ）等の種々の記憶媒体を用いればよい。
【００４９】
本実施の形態では、制御部８と記憶部９とは、例えばパソコンやマイコンなどの演算装置を構成する。ここでは、演算装置は、電源装置と一体に構成されており、筐体５の内部にあってもよいし、外部にあってもよい。本実施の形態では、演算装置は、筐体５内に配置するものとして説明するが、例えば、ゲート装置１が設置される施設の受け付けや管理室等に設置してもよい。
【００５０】
制御部８は、上述した扉駆動部４ａ、記憶部９、下シャッタ駆動部３４ａ、セットセンサ３５、カードＲ／Ｗ部３６、上シャッタ駆動部３７ａ、挿入検知センサ３８に電気的に接続している。さらに、制御部８は、表示器２を駆動させる表示器駆動部２ａ、スピーカ１０を駆動するスピーカ駆動部１０ａに電気的に接続している。
【００５１】
挿入検知センサ３８は、ＩＣカード１００のＩＣカード収納部３１へ挿入を検知すると挿入検知信号を制御部８に送信する。セットセンサ３５は、下シャッタにＩＣカード１００が保留されたことを検知すると、保留検知信号を制御部８に送信する。扉駆動部４ａ、下シャッタ駆動部３４ａ、上シャッタ駆動部３７ａ、表示器駆動部２ａ、スピーカ駆動部１０ａは、それぞれ、制御部８から駆動信号を受信し、該各駆動信号に基づいて、扉４、下シャッタ３４、上シャッタ３７、表示器２、スピーカ１０を駆動する。カードＲ／Ｗ部３６は、ＩＣカード１００から受信する所定信号に応じた第１の識別情報（識別番号）を制御部８に送信する。
【００５２】
制御部８は、挿入検知センサ３８から挿入検知信号を受信すると、表示器駆動部２ａに駆動信号を送信し表示器２の画像表示を制御する。また、入場側からの通行を防止するため、不図示の表示器に駆動信号を送信し、出場処理中であることを報知する。また、制御部８は、セットセンサ３５によりＩＣカード１００が検知され、保留検知信号を受信すると、上シャッタ駆動部３７ａに駆動信号を送信し、上シャッタ３７を駆動して挿入口３２（図４参照）を閉鎖する。
【００５３】
制御部８は、カードＲ／Ｗ部３６がＩＣカード１００から所定信号を受信すると、該所定信号に応じた第１の識別情報（識別番号）に基づいて、記憶部９から該第１の識別情報（識別番号）に対応するグループ情報、出場判断情報を読み出す。さらに、制御部８は、セットセンサ３５によりＩＣカード１００が検知しているか否かを判断し、読み出したグループ情報に基づいてＩＣカード１００が「来客用ＩＣカード」であるか「社員用ＩＣカード」であるかを識別し、記憶部９から読み出した出場判断情報が所定の条件を満たしているか否かを判断する。
【００５４】
ここで、所定の条件とは、典型的には、扉４を開状態としてもよい条件、すなわち、ゲート装置１を通行してもよい条件である。所定の条件は、例えば、施設に入場したことが確認されること、ゲート装置１の設置場所が図書館であれば全ての本が返却されていること等、設置される施設に応じて適宜設定すればよい。すなわち、例えばこの場合、制御部８は、読み出した出場判断情報が入場が許可された旨の情報を含んでいるか否か、読み出した出場判断情報としての閲覧冊数情報がゼロになっているか等を判断する。
【００５５】
なお、上述したようにカードＲ／Ｗ部３６は、ＩＣカード収納部３１（図４参照）に沿うようにかざされたＩＣカード１００とも所定信号の受信を行うことが可能であることから、制御部８がグループ情報、出場判断情報を読み出した場合でも、セットセンサ３５によりＩＣカード１００が検知されていない（ＩＣカード収納部３１内にＩＣカード１００が保留されていない）ことがある。この場合は、制御部８は、上シャッタ３７を駆動せずに、後述するように、カードＲ／Ｗ部３６により所定信号を受信されたＩＣカード１００が「来客用ＩＣカード」であるか「社員用ＩＣカード」であるかに応じて、適宜各処理を実行する。
【００５６】
制御部８は、セットセンサ３５によりＩＣカード１００が検知され、記憶部９から読み出したグループ情報に基づいて下シャッタ３４により保留されたＩＣカード１００が「来客用ＩＣカード」であると識別し、記憶部９から読み出した出場判断情報が所定の条件を満たしていると判断した際に、下シャッタ駆動部３４ａに駆動信号を送信し、ＩＣカード１００の保留を解除するように下シャッタ３４を駆動制御する。さらに、制御部８は、扉駆動部４ａに駆動信号を送信し、扉４を開状態にするように駆動制御する。
【００５７】
このように構成することで、ゲート装置１の通行が可能となり、施設から退出することができる。さらに、下シャッタ３４に保留されている「来客用ＩＣカード」は、保留が解除され、ＩＣカード回収部７（図４参照）に回収されるので、「来客用ＩＣカード」の受け付けへの返却の手間を省くことができる。
【００５８】
なお、制御部８は、典型的には、記憶部９から読み出した出場判断情報が所定の条件を満たしていると判断した際に扉４を開状態に制御するが、例外的に、所定の条件を満たしていると判断しても扉４を開状態に制御しない場合がある。当該例外については後述する。
【００５９】
制御部８は、セットセンサ３５によりＩＣカード１００が検知され、記憶部９から読み出した出場判断情報が所定の条件を満たしていないと判断した際には、下シャッタ３４をＩＣカード１００の保留を解除しないように制御し、上シャッタ３７を開放するように制御し、扉４を閉状態に制御する。この場合、出場可能な条件を満たしていないことから、下シャッタ３４により保留されたＩＣカード１００が「来客用ＩＣカード」であるか「社員用ＩＣカード」であるかに関係なく、下シャッタ３４を保留を解除しない状態、上シャッタ３７を開放した状態、扉４を閉状態とする。さらに、制御部８は、スピーカ駆動部１０ａに駆動信号を送信しスピーカ１０を駆動して、出場判断情報が所定の条件を満たしていない旨を報知するとよい。
【００６０】
このように構成することで、退場の条件を満たしていない施設利用者の退場を防止することができ、また、上シャッタ３７を開放するのでＩＣカード収納部３１からＩＣカード１００を抜き取ることができる。
【００６１】
なお、本実施の形態では、通常時は、下シャッタ３４を保留が可能な状態、扉４を閉状態としている。したがってここでは、下シャッタ３４をＩＣカード１００の保留を解除しないように制御するという場合、下シャッタ３４を駆動しないことをいい、扉４を閉状態に制御するという場合、扉４を駆動しないことをいう。以下の説明でも特に断りのない限り同様とする。
【００６２】
制御部８は、セットセンサ３５によりＩＣカード１００が検知され、記憶部９から読み出したグループ情報に基づいて下シャッタ３４により保留されたＩＣカード１００が「社員用ＩＣカード」であると識別し、記憶部９から読み出した出場判断情報が所定の条件を満たしていると判断した際には、下シャッタ３４をＩＣカード１００の保留を解除しないように制御し、上シャッタ３７を開放するように制御し、扉４を開状態に制御する。
【００６３】
このように構成することで、ゲート装置１の通行が可能となり、施設から退出することができる。さらに、上シャッタ３７を開放するので、回収する必要のない「社員用ＩＣカード」をＩＣカード収納部３１から抜き取ることができる。なお、この場合、制御部８は、スピーカ駆動部１０ａに駆動信号を送信しスピーカ１０を駆動して、「社員用ＩＣカード」を抜き取る旨を報知するとよい。
【００６４】
制御部８は、カードＲ／Ｗ部３６が所定信号を受信し、該所定信号に基づいてグループ情報、出場判断情報を読み出したが、セットセンサ３５によりＩＣカード１００が検知されず、記憶部９から読み出したグループ情報に基づいてカードＲ／Ｗ部３６により所定信号を受信されるＩＣカード１００が「来客用ＩＣカード」であると識別し、記憶部９から読み出した出場判断情報が所定の条件を満たしていると判断した際には、扉４を閉状態に制御する。
【００６５】
このように構成することで、出場判断情報が所定の条件を満たしていると判断しても、ＩＣカード収納部３１（図４参照）に沿うようにかざされたＩＣカード１００が「来客用ＩＣカード」である場合には、施設利用者の退場を防止することで、回収する必要のある「来客用ＩＣカード」を回収し忘れることを防止することができる。なお、この場合、制御部８は、スピーカ駆動部１０ａに駆動信号を送信しスピーカ１０を駆動して、「来客用ＩＣカード」をＩＣカード収納部３１に挿入する旨を報知するとよい。また、この場合、制御部８は、上シャッタ３７、下シャッタ３４は駆動しなくても良い。
【００６６】
制御部８は、カードＲ／Ｗ部３６が所定信号を受信し、該所定信号に基づいてグループ情報、出場判断情報を読み出したが、セットセンサ３５によりＩＣカード１００が検知されず、記憶部９から読み出したグループ情報に基づいてカードＲ／Ｗ部３６により所定信号を受信されるＩＣカード１００が「社員用ＩＣカード」であると識別し、記憶部９から読み出した出場判断情報が所定の条件を満たしていると判断した際には、扉４を開状態に制御する。
【００６７】
このように構成することで、ＩＣカード収納部３１（図４参照）に沿うようにかざされたＩＣカード１００が「社員用ＩＣカード」である場合に、回収する必要のない「社員用ＩＣカード」をＩＣカード収納部３１に挿入せずに、よりスピーディにゲート装置１の通行が可能となり、施設から退出することができる。また、この場合、制御部８は、上シャッタ３７、下シャッタ３４は駆動しなくても良い。
【００６８】
制御部８は、カードＲ／Ｗ部３６が所定信号を受信し、該所定信号に基づいてグループ情報、出場判断情報を読み出したが、セットセンサ３５によりＩＣカード１００が検知されず、記憶部９から読み出した出場判断情報が所定の条件を満たしていないと判断した際には、扉４を閉状態に制御する。このように構成することで、退場の条件を満たしていない施設利用者の退場を防止することができる。さらに、制御部８は、スピーカ駆動部１０ａに駆動信号を送信しスピーカ１０を駆動して、出場判断情報が所定の条件を満たしていない旨を報知するとよい。
【００６９】
図６は、本発明の実施の形態に係るゲート装置１の動作の概略について説明するフロー図である。なお、以下の説明ではゲート装置１の各構成については適宜図１又は図５を参照する。ここでは、ＩＣカード１００を所持している利用者がゲート装置１を用いて出場しようとしているものとして説明する。
【００７０】
制御部８は、扉４、上シャッタ３７、下シャッタ３４を制御して、ゲート装置１を待機状態とする（Ｓ１００）。本実施の形態では、待機状態は、扉４が閉状態、上シャッタ３７が挿入口３２を開放した状態、下シャッタ３４がＩＣカード収納部３１内の所定の位置にＩＣカード１００を保留可能な状態（二本のピンがＩＣカード収納部３１のＩＣカード１００を収納する空間に突出した状態）である。なお、前回の処理が正常に終了していれば、通常、ゲート装置１は待機状態となっている。したがって、ここでゲート装置１を待機状態とするという場合、待機状態を継続する場合も含む。
【００７１】
次に、制御部８は、挿入検知センサ３８がＩＣカード収納部３１にＩＣカード１００が挿入されたことを検知したか否かを判断する（Ｓ１０２）。挿入されたことを検知した場合（Ｓ１０２；Ｙｅｓ）は、制御部８は、入場側からの通行を防止するため、不図示の表示器に駆動信号を送信し、出場処理中であることを報知する（Ｓ１０４）。挿入されたことを検知していない場合（Ｓ１０２；Ｎｏ）はＳ２００に移行する。
【００７２】
制御部８は、Ｓ１０４で出場処理中であることを報知すると、セットセンサ３５が下シャッタ３４にＩＣカード１００が保留されたことを検知したか否かを判断する（Ｓ１０６）。保留されたことを検知した場合（Ｓ１０６；Ｙｅｓ）は、制御部８は、上シャッタ３７を閉鎖する（Ｓ１０８）。保留されたことを検知していない場合（Ｓ１０６；Ｎｏ）は、制御部８は、Ｓ１０２で挿入検知センサ３８がＩＣカード１００を検知してから所定時間（例えば、１分程度）が経過したか否かを判断する（Ｓ１２２）。所定時間が経過していないと判断した場合（Ｓ１２２；Ｎｏ）はＳ１０６に戻る。所定時間が経過したと判断した場合（Ｓ１２２；Ｙｅｓ）は、制御部８は、エラー処理として、不図示の報知装置（例えば表示装置や警報装置）にエラー信号を送信し、係員等にエラーを報知し（Ｓ１２４）、終了する。
【００７３】
制御部８は、Ｓ１０８で上シャッタ３７を閉鎖すると、制御部８は、カードＲ／Ｗ部３６が下シャッタ３４に保留されているＩＣカード１００から受信する所定信号に応じた第１の識別情報（識別番号）に基づいて、記憶部９から該第１の識別情報（識別番号）に対応するグループ情報、出場判断情報を読み出す（Ｓ１１０）。さらに制御部８は、Ｓ１１０で読み出した出場判断情報が所定の条件を満たしているか否かを判断する（Ｓ１１２）。所定の条件を満たしていると判断した場合（Ｓ１１２；Ｙｅｓ）は、制御部８は、扉４を開状態に制御する（Ｓ１１４）。所定の条件を満たしていないと判断した場合（Ｓ１１２；Ｎｏ）はＳ３００に移行する。
【００７４】
制御部８は、Ｓ１１４で扉４を開状態にすると、Ｓ１１０で読み出したグループ情報に基づいてＩＣカード１００が「来客用ＩＣカード」であるか否かを判断する（Ｓ１１６）。ＩＣカード１００が「来客用ＩＣカード」である場合（Ｓ１１６；Ｙｅｓ）は、制御部８は、下シャッタ３４を制御してＩＣカード１００の保留を解除し（Ｓ１１８）、「来客用ＩＣカード」をＩＣカード回収部７に回収する。ＩＣカード１００が「来客用ＩＣカード」でない場合、すなわち「社員用ＩＣカード」である場合（Ｓ１１６；Ｎｏ）はＳ４００に移行する。
【００７５】
制御部８は、Ｓ１１８で下シャッタ３４によるＩＣカード１００の保留を解除し、不図示のセンサにより、利用者がゲート装置１を通過したことを検知した後、扉４を閉状態、上シャッタ３７を挿入口３２を開放した状態、下シャッタ３４をＩＣカード収納部３１内の所定の位置にＩＣカード１００を保留可能な状態に制御して、ゲート装置１を再び待機状態として（Ｓ１２０）終了する（次のＩＣカード１００の処理に備える）。
【００７６】
制御部８は、Ｓ１０２で挿入検知センサ３８がＩＣカード収納部３１にＩＣカード１００が挿入されたことを検知していないと判断した場合（Ｓ１０２；Ｎｏ）、カードＲ／Ｗ部３６がＩＣカード１００から所定信号を受信しているか否かを判断する（Ｓ２００）。所定信号を受信していない場合（Ｓ２００；Ｎｏ）は、Ｓ１００に戻って待機状態を継続する。所定信号を受信している場合（Ｓ２００；Ｙｅｓ）、すなわち、ＩＣカード１００がＩＣカード収納部３１に沿うようにかざされた場合は、制御部８は、該所定信号に応じた第１の識別情報（識別番号）に基づいて、記憶部９から該第１の識別情報（識別番号）に対応するグループ情報、出場判断情報を読み出す（Ｓ２０２）。
【００７７】
次に、制御部８は、入場側からの通行を防止するため、不図示の表示器に駆動信号を送信し、出場処理中であることを報知し（Ｓ２０４）、Ｓ２０２で読み出した出場判断情報が所定の条件を満たしているか否かを判断する（Ｓ２０６）。所定の条件を満たしていないと判断した場合（Ｓ２０６；Ｎｏ）は、制御部８は、スピーカ１０を駆動して出場可能な条件を満たしていない旨を利用者に報知（Ｓ２０８）し、退場を防止する。このとき、扉４は閉状態のままである。その後、Ｓ１２０に移行してゲート装置１を再び待機状態として（Ｓ１２０）終了する。
【００７８】
なお、上述したようにセットセンサ３５は挿入検知センサ３８よりも下流（挿入口３２から遠い位置）に配設されている。したがって、制御部８は、Ｓ１０２で挿入検知センサ３８がＩＣカード１００を検知していないと判断した場合（Ｓ１０２；Ｎｏ）は、セットセンサ３５がＩＣカード１００を検知していないと判断している。
【００７９】
制御部８は、Ｓ２０６で所定の条件を満たしていると判断した場合（Ｓ２０６；Ｙｅｓ）は、Ｓ２０２で読み出したグループ情報に基づいてＩＣカード１００が「来客用ＩＣカード」であるか否かを判断する（Ｓ２１０）。ＩＣカード１００が「来客用ＩＣカード」である場合（Ｓ２１０；Ｙｅｓ）は、制御部８は、スピーカ１０を駆動して、退場時には回収する必要のある「来客用ＩＣカード」をＩＣカード収納部３１に収納するように利用者に報知する（Ｓ２１２）。その後、Ｓ１２０に移行してゲート装置１を再び待機状態として（Ｓ１２０）終了する。ＩＣカード１００が「来客用ＩＣカード」でない場合、すなわち「社員用ＩＣカード」である場合（Ｓ２１０；Ｎｏ）は、制御部８は、扉４を開状態に制御し（Ｓ２１４）、その後、Ｓ１２０に移行してゲート装置１を再び待機状態として（Ｓ１２０）終了する。
【００８０】
制御部８は、Ｓ１１２で出場判断情報が所定の条件を満たしていないと判断した場合（Ｓ１１２；Ｎｏ）は、制御部８は、上シャッタ３７を制御して挿入口３２を開放する（Ｓ３００）。その後、制御部８は、スピーカ１０を駆動して出場可能な条件を満たしていない旨を報知して、ＩＣカード１００をＩＣカード収納部３１から抜き取るように利用者に報知（Ｓ３０２）し、退場を防止する。このとき、扉４は閉状態のままである。その後、挿入検知センサ３８がまだＩＣカード１００を検知しているか否かを判断し（Ｓ３０４）、検知している場合（Ｓ３０４；Ｙｅｓ）は、Ｓ３０２に戻って以降の処理を繰り返し、検知していない場合（Ｓ３０４；Ｎｏ）は、Ｓ１２０に移行してゲート装置１を再び待機状態として（Ｓ１２０）終了する。
【００８１】
制御部８は、Ｓ１１６でグループ情報に基づいてＩＣカード１００が「来客用ＩＣカード」でない場合、すなわち「社員用ＩＣカード」である場合（Ｓ１１６；Ｎｏ）は、上シャッタ３７を制御して挿入口３２を開放し（Ｓ４００）、退場時には回収する必要のない「社員用ＩＣカード」をＩＣカード収納部３１から抜き取るように促す。その後、制御部８は、挿入検知センサ３８がまだＩＣカード１００を検知しているか否かを判断し（Ｓ４０２）、検知していない場合（Ｓ４０２；Ｎｏ）は、Ｓ１２０に移行してゲート装置１を再び待機状態として（Ｓ１２０）終了する。検知している場合（Ｓ４０２；Ｙｅｓ）は、制御部８は、Ｓ４００で上シャッタ３７を制御して挿入口３２を開放してから所定時間（例えば、１分程度）が経過したか否かを判断する（Ｓ４０４）。所定時間が経過していないと判断した場合（Ｓ４０４；Ｎｏ）はＳ４０２に戻る。所定時間が経過したと判断した場合（Ｓ４０４；Ｙｅｓ）は、制御部８は、上述したＳ１２４のエラー処理に移行し、不図示の報知装置（例えば表示装置や警報装置）にエラー信号を送信し、係員等にエラーを報知し（Ｓ１２４）、終了する。
【００８２】
以上で説明した本発明の実施の形態に係るゲート装置１によれば、情報を記録されている媒体が入退場者の属性等に応じて「社員用ＩＣカード」、「来客用ＩＣカード」のように複数のグループに分けられており、例えば、退場後に「来客用ＩＣカード」を返却しなければならない場合でも、グループ情報、出場判断情報に応じて扉４の開閉、上シャッタ３７の開放、閉鎖、下シャッタ３４による保留解除等の各処理を行うので、該グループに応じて自動で筐体５内部に配設されるＩＣカード回収部７への「来客用ＩＣカード」の回収、扉４の開閉等を行うことができ、利用者に煩わしさを感じさせることがない。また、情報が記録され、複数のグループにカテゴリ分けされる媒体を、該グループに応じて自動で回収することのできる自動改札装置を提供することができる。
【００８３】
また、以上で説明した本発明の実施の形態に係るゲート装置１によれば、ＩＣカード１００を挿入するＩＣカード収納部３１の挿入口３２を閉鎖する上シャッタ３７を備えるので、ＩＣカード１００とカードＲ／Ｗ部３６との信号の送受信中にＩＣカード１００が抜き取られることがない。また、ＩＣカード収納部３１には切り欠き３３が形成されているので、例えば、必要に応じて一旦ＩＣカード収納部３１に収納されたＩＣカード１００を容易に抜き取ることが可能である。さらに、スピーカ１０によりグループ情報、出場判断情報に応じて各種情報を利用者に報知することができるので、利用者にとっても利便性の優れたゲート装置とすることができる。
【００８４】
なお、本発明の実施の形態に係る自動改札装置は、上述した実施の形態に限定されず、特許請求の範囲に記載された範囲で種々の変更が可能である。以上の説明では、ゲート装置１は、第２の識別情報としてのグループ情報、第３の識別情報としての出場判断情報は、記憶部９に記憶されており、制御部８はＩＣカード１００に記憶されている第１の識別情報（識別番号）に応じて該グループ情報、出場判断情報を記憶部９から読み出すもの説明した。しかしながら、第２の識別情報としてのグループ情報、第３の識別情報としての出場判断情報は、ＩＣカード１００に記憶されていてもよい。
【００８５】
すなわち、変形例としてのゲート装置１は、情報が記録されている媒体としてのＩＣカード１００を収納可能な収納手段としてのＩＣカード収納部３１と、ＩＣカード１００をＩＣカード収納部３１内の所定位置に保留する保留手段としての下シャッタ３４と、下シャッタ３４にＩＣカード１００が保留されたことを検知する検知手段としてのセットセンサ３５と、前記情報に応じた所定信号を、ＩＣカード１００から受信する信号受信手段としてのカードＲ／Ｗ部３６と、 前記所定信号に基づいて、下シャッタ３４により保留されたＩＣカード１００の保留を解除するように該下シャッタ３４を制御する制御手段としての制御部８と、下シャッタ３４による保留を解除されたＩＣカード１００を回収する回収手段としてのＩＣカード回収部７を備えるように構成しても良い。
【００８６】
この場合、前記情報は、ＩＣカード１００のグループを示す第２の識別情報としてのグループ情報と、該グループ情報とは異なる第３の識別情報として出場判断情報のを含み、複数のＩＣカード１００は、少なくとも前記グループ情報に応じて第１のグループに識別される第１の媒体としての「来客用ＩＣカード」と、前記グループ情報に応じて前記第１のグループとは異なる第２のグループに識別される第２の媒体としての「社員用ＩＣカード」に分けられる。
【００８７】
さらに、この場合、制御部８は、セットセンサ３５によりＩＣカード１００が検知され、前記グループ情報に基づいて下シャッタ３４により保留されたＩＣカード１００が前記「来客用ＩＣカード」であると識別し、前記出場判断情報に基づいて該「来客用ＩＣカード」に記録されている情報が所定の条件を満たしていると判断した際に、該下シャッタ３４をＩＣカード１００の保留を解除するように制御するように構成される。
【００８８】
さらに、この場合、制御部８は、出場判断情報に基づいて「来客用ＩＣカード」又は「社員用ＩＣカード」に記録されている情報が前記所定の条件を満たしていると判断した際に、扉４を開状態に制御するとよい。さらに、制御部８は、セットセンサ３５によりＩＣカード１００が検知され、出場判断情報に基づいて「来客用ＩＣカード」又は「社員用ＩＣカード」に記録されている情報が前記所定の条件を満たしていないと判断した際には、下シャッタ３４をＩＣカード１００の保留を解除しないように制御し、上シャッタ３７を開放するように制御し、扉４を閉状態に制御するとよい。さらに、制御部８は、セットセンサ３５によりＩＣカード１００が検知され、グループ情報に基づいて下シャッタ３４により保留されたＩＣカード１００が「社員用ＩＣカード」であると識別し、出場判断情報に基づいて「社員用ＩＣカード」に記録されている情報が所定の条件を満たしていると判断した際には、該下シャッタ３４をＩＣカード１００の保留を解除しないように制御し、上シャッタ３７を開放するように制御し、扉４を開状態に制御するとよい。さらに、制御部８は、セットセンサ３５によりＩＣカード１００が検知されず、グループ情報に基づいてカードＲ／Ｗ部３６によって前記所定信号を受信されるＩＣカード１００が「来客用ＩＣカード」であると識別し、出場判断情報に基づいて該「来客用ＩＣカード」に記録されている情報が所定の条件を満たしていると判断した際には、扉４を閉状態に制御するように構成すると良い。
【図面の簡単な説明】
【００８９】
【図１】本発明の実施の形態に係るゲート装置の外観図である。
【図２】本発明の実施の形態に係るゲート装置の外観図斜視図である。
【図３】本発明の実施の形態に係るゲート装置のカード処理装置の外観を示す図である。
【図４】本発明の実施の形態に係るゲート装置のカード処理装置の概略断面図である。
【図５】本発明の実施の形態に係るゲート装置の概略構成を示すブロック図である。
【図６】本発明の実施の形態に係るゲート装置の動作の概略について説明するフロー図である。
【符号の説明】
【００９０】
１    ゲート装置
２    表示器
３    カード処理装置
４    扉
５    筐体
７    ＩＣカード回収部
８    制御部
９    記憶部
１０    スピーカ
３０    ケーシング
３１    ＩＣカード収納部
３２    挿入口
３４    下シャッタ
３５    セットセンサ
３６    カードＲ／Ｗ部
３７    上シャッタ
３８    挿入検知センサ
３９    シュート
１００    ＩＣカード
【図１】
0004732846.tif 000002
【図２】
0004732846.tif 000003
【図３】
0004732846.tif 000004
【図４】
0004732846.tif 000005
【図５】
0004732846.tif 000006
【図６】
0004732846.tif 000007